【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
内部空間を有するとともに前記内部空間の温度を予め定められた設定温度に維持するよう に動作する環境試験装置について前記内部空間の温度特性を評価する温度特性評価方法であって、
前記環境試験装置の設定温度を第一の設定温度データとして取得し、前記環境試験装置が設置された空間の温度である周囲温度を第一の周囲温度データとして取得するとともに、前記内部空間の内部温度を測定することにより第一の内部温度データを取得するステップと、
前記環境試験装置の前記設定温度を前記第一の設定温度とは異なる第二の設定温度に変更し、前記第二の設定温度に設定された際の、第二の設定温度データと、前記環境試験装置が設置された空間の温度である第二の周囲温度デー タと、前記内部空間の内部温度である第二の内部温度データを取得するステップと、
前記第一の設定温度データと、前記第一の設定温度に設定された際の、前記第一の周囲温度データと前記第一の内部温度データとの組み合わせからなる第一の温度データ群と、
前記第二の設定温度データと、前記第二の設定温度に設定された際の、前記第二の周囲温度データと前記第二の内部温度データとの組み合わせからなる第二の温度データ群を取得するステップと、
前記第一の温度データ群と前記第二の温度データ群の各々に対して、周囲温度データと設定温度データとの差分を第１の差分として算出し、内部温度データと設定温度データとの差分を第２の差分として算出し、前記第一の温度データ群に対する前記第１及び第２の差分の組み合わせと、前記第二の温度データ群に対する前記第１及び第２の差分の組み合わせとを差分群として得るステップと、
前記第一の温度データ群と前記第二の温度データ群の各々に対する前記差分群を回帰分析で近似し、前記近似により得られた関数を性能関数として得るステップと、
前記性能関数を用いて前記環境試験装置の内部空間の温度特性に関する評価を行うステップとを含む、温度特性評価方法。
【請求項２】
前記差分群は少なくとも互いに設定温度が異なる３以上の温度データ群各々における前記第１の差分と前記第２の差分との組み合わせで構成され、前記差分群および前記性能関数に基づいて前記性能関数の決定係数を算出するステップをさらに含む、請求項１記載の温度特性評価方法。
【請求項３】
前記評価を行うステップは、第２の差分についての許容範囲を第２の差分許容範囲として設定するステップと、第２の差分を取得するステップと、前記第２の差分許容範囲の上限値または下限値に対する第２の差分の余裕度を算出するステップとを含む、請求項１または２記載の温度特性評価方法。
【請求項４】
前記第２の差分を取得するステップは、前記性能関数が得られた後の第１の時点における周囲温度を測定することにより周囲温度データを得るとともに設定温度データを取得するステップと、前記第１の時点で得られた周囲温度データおよび取得された設定温度データに基づいて前記第１の時点における第１の差分を算出するステップと、前記第１の時点における第１の差分および前記性能関数に基づいて前記第１の時点における第２の差分を算出するステップとを含む、請求項３記載の温度特性評価方法。
【請求項５】
前記第２の差分許容範囲の上限値および下限値を前記性能関数の第２の差分に代入することにより、第１の差分についての許容範囲である第１の差分許容範囲の上限値および下限値を算出するステップと、前記第１の差分許容範囲の上限値および下限値と設定温度データとに基づいて周囲温度データの許容範囲の上限値および下限値を算出するステップとをさらに含む、請求項３または４記載の温度特性評価方法。
【請求項６】
前記内部温度データを取得するステップは、前記内部空間内の複数の位置の各々における内部温度を測定することにより複数の内部温度データを取得するステップを含み、前記複数の温度データ群を得るステップは、前記複数の位置の各々についての複数の温度データ群を得るステップを含み、前記差分群を得るステップは、前記複数の位置の各々についての差分群を得るステップを含み、前記性能関数を得るステップは、前記複数の位置の各々についての性能関数を得るステップを含み、前記評価を行うステップは、前記複数の位置の各々についての性能関数に基づいて、前記内部空間の各位置での内部空間の温度特性を評価するステップを含む、請求項１〜５のいずれか一項に記載の温度特性評価方法。
【請求項７】
前記評価を行うステップは、前記複数の位置についての複数の性能関数に基づいて、前記複数の位置のうち最も前記決定係数が小さい位置を判定するステップをさらに含む、請求項６記載の温度特性評価方法。
【請求項８】
前記評価を行うステップは、前記性能関数が得られた後の第２の時点における前記複数の位置について第２の差分を取得するステップと、前記複数の位置についての第２の差分に基づいて、前記複数の位置での内部空間の温度特性を評価するステップとを含む、請求項６または７記載の温度特性評価方法。
【請求項９】
前記内部温度データを取得するステップは、前記内部空間内の複数の位置の各々における内部温度を測定することにより複数の内部温度データを取得するステップを含み、前記複数の温度データ群を得るステップは、前記複数の位置の各々についての複数の温度データ群を得るステップを含み、前記差分群を得るステップは、前記複数の位置の各々についての差分群を得るステップを含み、前記性能関数を得るステップは、前記複数の位置の各々についての性能関数を得るステップを含み、前記評価を行うステップは、第２の差分についての許容範囲を第２の差分許容範囲として設定するステップと、前記性能関数が得られた後の第２の時点における前記複数の位置について第２の差分を取得するステップと、前記複数の位置について前記第２の差分許容範囲の上限値または下限値に対する第２の差分の余裕度を算出するステップと、前記複数の位置についての第２の差分値の余裕度のうち最大値または最小値である余裕度を有する位置を特定するステップとを含む、請求項１または２に記載の温度特性評価方法。
【請求項１０】
前記第２の時点における第２の差分を取得するステップは、前記第２の時点における周囲温度を測定することにより周囲温度データを取得するとともに設定温度データを取得するステップと、前記第２の時点で取得された周囲温度データおよび取得された設定温度データに基づいて前記第２の時点における第１の差分を算出するステップと、前記第２の時点における第１の差分および前記性能関数に基づいて前記第２の時点における第２の差分を算出するステップとを含む、請求項８または９記載の温度特性評価方法。
【請求項１１】
前記環境試験装置は外壁面を有し、周囲温度は、前記環境試験装置の前記外壁面の温度である、請求項１〜１０のいずれか一項に記載の温度特性評価方法。
【請求項１２】
内部温度は、前記内部空間の隅部の温度である、請求項１〜１１のいずれか一項に記載の温度特性評価方法。 
【請求項１３】
前記環境試験装置は、空気調和部を含み、前記空気調和部により調和された空気を前記内部空間内へ吹き出す吹出し口と前記内部空間の空気を前記空気調和部へ吸い込む吸込み口とを有し、設定温度は、前記吹出し口または前記吸込み口の空気の温度である、請求項１〜１２のいずれか一項に記載の温度特性評価方法。
【請求項１４】
前記複数の温度データ群を得るステップは、設定温度を変更しないで周囲温度および内部温度を異なる複数の時点で複数回ずつ測定することにより複数のデータ群を得るステップを含む、請求項１〜１３のいずれか一項に記載の温度特性評価方法。